(57)【要約】【課題】  任意の収納袋に取り付け可能で、しかも従来にない開閉補助機能を有するジッパー部材と、これを取り付けた収納袋とを提供する。【解決手段】  長細く形成された本体部の一側面において突条を長手方向に設けると共に摘まみ用の突片を短手方向へ突出させた突条部材と、長細く形成された本体部の一側面において前記突条を圧入できる溝を長手方向に設けると共に摘まみ用の突片を短手方向へ突出させた溝部材とからなり、前記突条部材の突条を前記溝部材の溝に圧入させることにより両部材が結合されるようにした摘まみ付きジッパー部材。この摘まみ付きジッパー部材を開口部に取り付けた収納袋。【選択図】          図１
2006043323.tif 000002
【特許請求の範囲】
【請求項１】
長細く形成された本体部の一側面において突条を長手方向に設けると共に摘まみ用の突片を短手方向へ突出させた突条部材と、長細く形成された本体部の一側面において前記突条を圧入できる溝を長手方向に設けると共に摘まみ用の突片を短手方向へ突出させた溝部材とからなり、前記突条部材の突条を前記溝部材の溝に圧入させることにより両部材が結合される構成であることを特徴とする摘まみ付きジッパー部材。
【請求項２】
前記突条部材と溝部材とが、それぞれ合成樹脂を用いた一体成形品であることを特徴とする請求項１に記載の摘まみ付きジッパー部材。
【請求項３】
前記突条部材と溝部材とに設けた摘まみ用の突片を、両者の正しい結合状態において互いに重複しない位置に設けたことを特徴とする請求項１又は請求項２に記載の摘まみ付きジッパー部材。
【請求項４】
前記突条部材と溝部材との本体部には、薄い接着プレート部を短手方向へ延設したことを特徴とする請求項１〜請求項３のいずれかに記載の摘まみ付きジッパー部材。
【請求項５】
シート状材料からなる収納袋であって、その開口部の内周の対向する各半周部には請求項１〜請求項４のいずれかに記載の突条部材と溝部材とを接合したことを特徴とする収納袋。
【請求項６】
シート状材料からなり内容物が充填された収納袋であって、その開口部の内周の対向する各半周部には請求項１〜請求項４のいずれかに記載の突条部材と溝部材とを接合して互いに結合させ、かつ、この結合部に隣り合う袋開口部側又は袋奥行部側の部位には前記シート状材料を気密に接着したシール部を帯状に設けたことを特徴とする収納袋。
【発明の詳細な説明】
【技術分野】
【０００１】
本発明は摘まみ付きジッパー部材及び収納袋に関する。更に詳しくは本発明は、互いに結合可能な突条と溝とを設けた突条部材と溝部材とからなり、両部材の結合・離脱を容易にした摘まみを備えた摘まみ付きジッパー部材と、この摘まみ付きジッパー部材を開口部の内周に接合した収納袋とに関する。
【背景技術】
【０００２】
近年、化粧品、薬品、菓子類その他の各種物品の収納袋として、ビニール製等のシート状材料からなる袋の上端開口部に開閉用ジッパーを設けた構造のものが良く使用されている。そして、このような開閉用ジッパーとして、互いに結合可能な突条と溝とを設けた突条部材と溝部材とからなる、嵌め込み式の開閉用ジッパーが一般的である。
【０００３】
この方式の開閉用ジッパーは、収納袋の内部に対して高度な気密性を確保するまでには到らないが、比較的高い密閉レベルの封止が可能であり、しかも、突条部材の溝部材に対する圧入及び離脱の繰り返しにより、収納袋の封鎖及び開封を簡単に、かつ繰り返し行うことができる、と言う特徴を持っている。
【０００４】
このような構造の収納袋の代表的な従来例を、図７及びそのＺ−Ｚ線断面の端面図である図８によって示す。図７に示す収納袋１は、２枚のビニール製のシート状材料２を用いて形成されている。シート状材料２の周縁部３は互いに気密にヒートシールされている。そして、収納袋１の開口部であることを予定されている上端側の周縁部３よりやや下側には、ジッパー４が構成されている。
【０００５】
このジッパー４は、図８に示すように、２枚のシート状材料２の内側面（対向する内周面）において、一方のシート状材料２には長手方向に突条を設けた突条部材５を接着し、他方のシート状材料２には長手方向に溝を設けた溝部材６を接着したものである。これらの突条部材５と溝部材６は樹脂製であって、突条を溝に圧入させることにより、ジッパー４が封鎖される。ジッパー４に加えて周縁部３がヒートシールされている理由は、ジッパー４のみでは高度な気密性を確保する程の密封が難しい点にある。即ち、収納袋１に内容物を収納して商品とした後、その収納袋商品の保管・流通期間中はヒートシール部で気密性を確保して内容物の劣化等を防止すると共に、消費者が購入した後は切り取り線ａに沿ってヒートシール部を切り離し、ジッパー４の開閉で収納袋１の開口部を開閉するようになっている。
【発明の開示】
【発明が解決しようとする課題】
【０００６】
しかしながら、上記の図７及び図８に示す従来技術では、切り取り線ａ沿いにハサミ等を用いてヒートシール部を切り離した後、ジッパー４の開閉操作において、２枚のシート状材料２の開口端縁部７をそれぞれ両手の指で摘んで操作する必要がある。ところが、これらの開口端縁部７が、上記の切り離し操作の関係で同じ高さで揃っているため指で摘み難いと言う問題があった。図８では、図示の便宜上、２枚のシート状材料２の開口端縁部７が互いに開いているように図示しているが、実際にはこれらは互いに密着している状態に近く、両手の指でそれぞれの開口端縁部７を摘むのは、かなり面倒であった。
【０００７】
本願発明者は、上記のような従来技術の不具合の解決手段を検討する過程で、従来のジッパー４では突条部材５の突条と溝部材６の溝との結合のみが考慮され、結合した突条部材５と溝部材６との離脱操作が、シート状材料２の開口端縁部７の開き操作に依存している点が問題であることに気付いた。そこで本発明は、従来技術における上記の不具合を解消することを目的とする。
【課題を解決するための手段】
【０００８】
（第１発明の構成）
上記課題を解決するための本願第１発明の構成は、長細く形成された本体部の一側面において突条を長手方向に設けると共に摘まみ用の突片を短手方向へ突出させた突条部材と、長細く形成された本体部の一側面において前記突条を圧入できる溝を長手方向に設けると共に摘まみ用の突片を短手方向へ突出させた溝部材とからなり、前記突条部材の突条を前記溝部材の溝に圧入させることにより両部材が結合される構成である、摘まみ付きジッパー部材である。
【０００９】
（第２発明の構成）
上記課題を解決するための本願第２発明の構成は、前記第１発明に係る突条部材と溝部材とが、それぞれ合成樹脂を用いた一体成形品である、摘まみ付きジッパー部材である。
【００１０】
（第３発明の構成）
上記課題を解決するための本願第３発明の構成は、前記第１発明又は第２発明に係る突条部材と溝部材とに設けた摘まみ用の突片を、両者の正しい結合状態において互いに重複しない位置に設けた、摘まみ付きジッパー部材である。
【００１１】
（第４発明の構成）
上記課題を解決するための本願第４発明の構成は、前記第１発明〜第３発明のいずれかに係る突条部材と溝部材との本体部には、薄い接着プレート部を短手方向へ延設した、摘まみ付きジッパー部材である。
【００１２】
（第５発明の構成）
上記課題を解決するための本願第５発明の構成は、シート状材料からなる収納袋であって、その開口部の内周の対向する各半周部には第１発明〜第４発明のいずれかに係る突条部材と溝部材とを接合した、収納袋である。
【００１３】
（第６発明の構成）
上記課題を解決するための本願第６発明の構成は、シート状材料からなり内容物が充填された収納袋であって、その開口部の内周の対向する各半周部には第１発明〜第４発明のいずれかに係る突条部材と溝部材とを接合して互いに結合させ、かつ、この結合部に隣り合う袋開口部側又は袋奥行部側の部位には前記シート状材料を気密に接着したシール部を帯状に設けた、収納袋である。
【発明の効果】
【００１４】
（第１発明の効果）
第１発明の摘まみ付きジッパー部材を袋の開閉用ジッパーとして用いる場合、袋の開口部の内周の対向する部位において、突条部材と溝部材とを、それぞれの摘まみ用の突片が開口部の外側方向へ向く状態において接合する。そうすることにより、突条部材と溝部材との摘まみ用の突片を手指で摘んで操作すれば、結合した突条部材と溝部材との離脱（袋の開口）操作を容易に行うことができる。
【００１５】
（第２発明の効果）
上記の第１発明に係る摘まみ付きジッパー部材の構成材料は限定されないが、突条部材の突条と溝部材の溝とを容易かつ確実に繰り返し結合・離脱させることを考慮した場合、突条部材と溝部材とが合成樹脂製であることが好ましい。又、製造プロセスのコストダウンの観点からは、これらの部材が合成樹脂製の一体成形品であることが好ましい。
【００１６】
（第３発明の効果）
突条部材と溝部材とにおける摘まみ用の突片の形成位置は任意に設定することができるが、両手の手指で各一方の突片を摘むと言う操作の容易性と確実性とを考慮した場合、これらの突片を、突条部材と溝部材との正しい結合状態における互いに重複しない位置、即ちオフセット位置に設けることが好ましい。
【００１７】
（第４発明の効果）
第４発明のように、突条部材と溝部材との本体部から薄い接着プレート部を短手方向へ延設しておくと、突条部材と溝部材とを袋の開口部内周に接合する際に、その接合が熱接着であれ、接着材を用いた接着であれ、その他の手段による接着であれ、接合加工が容易かつ確実になり、接合強度も高い。
【００１８】
（第５発明の効果）
第５発明の収納袋は、その開口部に、上記いずれかの実施形態に係る摘まみ付きジッパー部材の突条部材と溝部材とを接合しているので、第１発明〜第４発明の効果を確保することができる。収納袋の内容物が保管のために高度の気密性を要しない物品である場合、収納袋の開口部に気密性のシール部を設ける必要はなく、摘まみ付きジッパー部材による開口部全体の封止作用のみで十分である。
【００１９】
（第６発明の効果）
第６発明の収納袋は、その開口部に上記いずれかの実施形態に係る摘まみ付きジッパー部材を接合させ、かつ、内容物の気密保持用のシール部も設けている。従ってシール部の気密を破って収納袋を開封するまでは内容物の気密性が高度に保持される。そして上記第５発明の場合と同様に、第６発明の収納袋は、第１発明〜第４発明の効果を確保することができる。又、収納袋開口部の内周の対向する各半周部に突条部材と溝部材を接合しているので、収納袋の開封後においても摘まみ付きジッパー部材によって一応の気密性を維持することができる。
【００２０】
シール部を摘まみ付きジッパー部材よりも袋奥行部側に設けた場合、収納袋の摘まみ付きジッパー部材を初めて開く際に、その開く力でシール部の気密を破ることとなる。又、シール部を摘まみ付きジッパー部材よりも袋開口部側に設けた場合には、例えば鋏等を用いてシール部を切り離した後に、摘まみ付きジッパー部材を開閉操作することとなるが、シール部の切り離しにより摘まみ付きジッパー部材の摘まみ用突片が袋開口部に露出するので、この突片を手指で摘んで突条部材と溝部材との離脱（袋の開口）操作を行うことは容易である。
【発明を実施するための最良の形態】
【００２１】
次に、本願の第１発明〜第６発明の実施形態を、その最良の形態を含めて説明する。以下において単に「本発明」と言うときは、上記の各発明を一括して指している。
【００２２】
〔摘まみ付きジッパー部材〕
本発明に係る摘まみ付きジッパー部材は突条部材と溝部材とからなる。突条部材とは、長細く形成された本体部の一側面において突条を長手方向に設けると共に、この本体部から摘まみ用の突片を短手方向へ突出させた部材である。溝部材とは、長細く形成された本体部の一側面において溝を長手方向に設けると共に、この本体部から摘まみ用の突片を短手方向へ突出させた部材である。
【００２３】
突条部材と溝部材との本体部は、突条又は溝を除いては略同一の外形を持ち、かつ同一の長さを持つ長細い部材であることが、より好ましい。更に、突条部材の突条も、溝部材の溝も、それぞれ本体部の全長にわたって設けられていることが、より好ましい。
【００２４】
又、突条部材の突条は、その断面形状が基部において幾分幅の狭いくびれた形状であり、溝部材の溝は、その断面形状が前記突条に対して鋳造物と鋳型の対応関係にあることがより好ましい。この場合、突条部材の突条を溝部材の溝に圧入させると、突条部材と溝部材とが一体的に隙間なく結合する。そして摘まみ用の突片を手指で操作することにより溝から突条を外す（引き抜く）事により、突条部材と溝部材とが離脱する。
【００２５】
〔突条部材と溝部材〕
突条部材と溝部材との構成材料は限定されないが、突条と溝との結合時における突条部材と溝部材との弾性的な歪み変形能力や、突条と溝との結合及び離脱の繰り返しに耐える能力を考慮すると、いずれも合成樹脂製であることが特に好ましい。更に、突条部材と溝部材としては、いずれも合成樹脂製の一体成形品を用いることが好ましい。
【００２６】
突条部材と溝部材とに設ける摘まみ用の突片は、これらの両部材の結合状態において一致する位置に設けても良く、部分的に一致するがある程度ズレた位置に設けても良く、更には不一致となる（互いに離れた）位置に設けても良い。両手の手指によって各一方の突片を摘んで離脱操作を行うことを考慮すれば、両者の突片が両部材の結合状態において互いに重複しない位置（上記のズレた位置又は離れた位置）に設けられていることが、より好ましい。
【００２７】
突条部材と溝部材とにおける摘まみ用の突片の形状や突出幅は限定されないが、手指によって摘まみ易い形状及び突出幅を持つことが好ましい。これらの突片は、突条部材又は溝部材の本体部と同じ厚さに形成しても良いし、本体部よりも薄く形成しても良い。
【００２８】
〔接着プレート部〕
突条部材及び／又は溝部材の本体部には薄い接着プレート部を短手方向へ延設することが特に好ましい。突条部材と溝部材との本体部は細い部材であるため、後述のように収納袋の開口部の内周に強固に接合させ難い場合がある。しかし、接着プレート部を本体部の短手方向へ延設しておくと、この接着プレート部を利用して収納袋に強固に接合させることができる。
【００２９】
この接着プレート部は、突条部材及び／又は溝部材の本体部の全長にわたって短手方向へ延設しても良いし、突条部材及び／又は溝部材の本体部の一部あるいは大部分にわたって短手方向へ延設しても良い。接着プレート部を設ける場合には、この接着プレート部も含めて突条部材及び／又は溝部材の全体が合成樹脂製の一体成形品であることが好ましい。
【００３０】
〔収納袋〕
本発明に係る収納袋には、前記第５発明に係る実施形態（第１の実施形態）と、前記第６発明に係る実施形態（第２の実施形態）とがある。これらのいずれの実施形態においても、「突条部材と溝部材とを接合する」とは、突条部材及び／又は溝部材が上記の接着プレート部を備える場合には、「本体部及び接着プレート部を接合する」との意味である。
【００３１】
第１の実施形態に係る収納袋は、シート状材料からなる収納袋であって、その開口部の内周の対向する各半周部には上記のいずれかの形態の突条部材と溝部材とを接合している。
【００３２】
第２の実施形態に係る収納袋は、シート状材料からなり内容物が充填された収納袋であって、その開口部の内周の対向する各半周部には上記のいずれかの形態の突条部材と溝部材とを接合して互いに結合させ、かつ、この結合部に隣り合う袋開口部側又は袋奥行部側の部位には前記シート状材料を気密に接着したシール部を帯状に設けている。シール部においてシート状材料を気密に接着するための手段は限定されず、例えば接着剤を用いて接着しても良いし、シート状材料が合成樹脂製である場合にはシート状材料同士を直接にヒートシールしても良い。
【００３３】
収納袋の第１及び第２の実施形態において、収納袋の構成材料たるシート状材料の材質は限定されないが、好ましくは柔軟な材質のシート状材料、例えば合成樹脂製のフィルム材料を用いる。ある程度の強度を期待できるなら、紙製等のシート状材料も利用できる。シート状材料の透明性、通気性等は、使用目的に応じて任意に決定することができる。
【００３４】
収納袋は、開口部が設定されている限りにおいて、そのサイズ、内部構造あるいは平面形状を限定されない。収納袋の平面形状としては、例えば正方形や長方形に限らず、円形、楕円形とすることもできるし、デザイン上の観点からアルファベット文字の形状や動物の姿等を真似た形状としても良い。
【００３５】
〔収納袋の用途・内容物〕
収納袋の用途は、任意の内容物を収納する目的を持つ限りにおいて、全く限定されない。内容物の種類も全く任意に選択することができるが、ごく一部の例示として、化粧品、湿布薬、菓子類、加工調味品等を例示することができる。
【００３６】
〔シール部〕
本発明の収納袋の第２の実施形態において、流通・保管時の気密な収納により内容物の劣化や吸湿を防止する上で、シール部は有益である。内容物を収納した収納袋を消費者が購入し、ジッパー及びシール部を開封した後はジッパーのみによって収納袋が封鎖されるので、高度の気密性は期待できない。しかし、このような場合には内容物は比較的短期間に消費されるため、余り不具合はない。
【００３７】
シール部は帯状に設けるが、その全体又は少なくとも中央部を下向きのＶ字形ないしはＵ字形に形成すると、摘まみ付きジッパー部材の開封時に、その引張り力によって剥離（シール部を開封）させ易い。
【実施例】
【００３８】
以下に、本発明の実施例を図面に基づいて説明する。本発明の技術的範囲が以下の実施例によって限定されないことは、もちろんである。
【００３９】
（実施例１）
図１に示す摘まみ付きジッパー部材８は突条部材９と溝部材１０とからなる。図において、突条部材９と溝部材１０は、便宜上、いずれも両端部と中間の要部のみを図示するが、実際にはいずれも長細く形成された合成樹脂製の部材であり、それらの全体が一体成形品であり、かつ、突条部材９と溝部材１０は同じ長さに形成されている。
【００４０】
突条部材９は、やや厚肉に形成された本体部１１の一側面において、突条１２を長手方向の両端部にわたって形成している。突条１２の断面形状は、基部において幾分幅が狭くなった、くびれた半円形である。一方、溝部材１０は、やや厚肉に形成された本体部１３の一側面において、溝１４を長手方向の両端部にわたって形成している。溝１４の断面形状は突条１２に対応し、突条１２を密に嵌合できる形状である。
【００４１】
突条部材９と溝部材１０には、それぞれの本体部１１，１３の中間の適部において、摘まみ用の突片１５，１６を短手方向へ突出させている。双方の摘まみ用の突片１５，１６は、図２に示すように突条部材９と溝部材１０とを結合させた時、互いに重複しないオフセットの位置関係にあるが、これらの摘まみ用の突片１５，１６を部分的に重複し、又は完全に重複するような位置関係に設定しても構わない。
【００４２】
一方、突条部材９の本体部１１と溝部材１０の本体部１３からは、それぞれ、これらの本体部１１，１３よりも薄い接着プレート部１７，１８を、本体部１１，１３の全長にわたり、短手方向へ延設している。接着プレート部１７，１８の延設方向は、前記の摘まみ用の突片１５，１６に対する反対方向であり、かつ、本体部１１，１３における突条１２又は溝１４を形成した側面とは反対側の側面から延設されている。その結果、突条部材９においては突条１２を形成した側面とは反対側の側面に、本体部１１から接着プレート部１７にわたる一連の接合面１９が形成されている。又、溝部材１０においては溝１４を形成した側面とは反対側の側面に、本体部１３から接着プレート部１８にわたる一連の接合面２０が形成されている。
【００４３】
突条部材９と溝部材１０とは、突条部材９の突条１２を溝部材１０の溝１４に圧入させることにより、図２に示すように結合させることができる。そしてこのような結合状態は、両部材の摘まみ用の突片１５，１６を両手の手指でそれぞれ摘んで反対方向へ引っ張り、溝１４から突条１２を離脱させることにより、解除することができる。
【００４４】
図２のＸ−Ｘ線に沿う断面図である図３（ａ）に示すように、突条部材９と溝部材１０との結合状態において、双方の摘まみ用の突片１５，１６はオフセット位置にあるため、これらを両手の手指でそれぞれ摘むことは容易である。
【００４５】
但し、これらの摘まみ用の突片１５，１６が互いに重複する位置に設定されていた場合、幾分は摘まみ難い。その場合には、例えば図３（ｃ）に示すように摘まみ用の突片１５，１６を本体部１１，１３よりも幾分薄く形成することにより、両者間に摘まみを容易にする隙間２１を形成しておくこともできる。更に、図示はしないが、摘まみ用の突片１５，１６を互いに反対方向へ反り返る形状とすることにより、同様に摘まみを容易にする隙間を形成しても良い。このような隙間２１は、図３（ｂ）に示すように、摘まみ用の突片１５，１６が上記のようにオフセット位置にある場合において形成しても構わない。
【００４６】
（実施例２）
図４に示す収納袋２２は、本発明に係る収納袋の前記第１の実施形態に相当するものである。
【００４７】
この収納袋２２は合成樹脂製の薄いシート状材料２３を用いて袋状に形成されている。シート状材料２３の左右両側と下側の周縁部には継ぎ目がなく、あるいは継ぎ目を気密にヒートシールされている。
【００４８】
収納袋２２の上端開口部の内周の対向する各半周部には、上記の突条部材９と溝部材１０とが、それぞれの摘まみ用の突片１５，１６が上方へ突出する状態で、接合されている。この接合は、突条部材９と溝部材１０における接合面１９，２０を収納袋２２の内周面に対して接着（接着剤を用いた接着、又はヒートシールその他の適宜な手段による接着）させることにより、行われている。
【００４９】
又、図４のＹ−Ｙ線に沿う断面図である図５（ａ）に示すように、突条部材９と溝部材１０は、それぞれの突条１２と溝１４とが互いに同じ高さ位置で平行に対向した状態にあるように接合されている。従って、収納袋２２の外側から突条部材９と溝部材１０とを互いに圧着するだけで、図５（ｂ）に示すように突条部材９と溝部材１０とが結合し、収納袋２２の開口部が閉鎖される。収納袋２２の開口部を開く操作は、摘まみ用の突片１５，１６を利用して、実施例１で述べたように行われる。
【００５０】
（実施例３）
図６には、本発明に係る収納袋の前記第２の実施形態に相当する収納袋２４の要部の断面図を示す。この収納袋２４においては、実施例２と同様に突条部材９と溝部材１０とを接合した部分のすぐ下側（袋奥行部側）の部分に、シート状材料２３を気密に接着したシール部２５を帯状に設けている。
【００５１】
更に、上記のシール部２５に代えて、図６において想像線で示すように、突条部材９と溝部材１０とを接合した部分のすぐ上側（袋開口部側）の部分にシール部２６を帯状に設けても良い。この場合、突条部材９と溝部材１０とは、収納袋２４の上端開口部より少し袋奥行部側の内周に接合される。
【００５２】
これらの実施例に係る収納袋２４において、上記以外の構成は第２実施例と同様であり、それらの使用状態は前記「第５発明の効果」欄や「第６発明の効果」欄で述べた通りである。
【産業上の利用可能性】
【００５３】
本発明によって、任意の収納袋に取り付け可能で、従来にない開閉補助機能を有するジッパー部材と、これを取り付けた収納袋が提供される。
【図面の簡単な説明】
【００５４】
【図１】摘まみ付きジッパー部材の実施例を分解状態において示す斜視図である。
【００５５】
【図２】摘まみ付きジッパー部材の実施例を結合状態において示す斜視図である。
【００５６】
【図３】図２のＸ−Ｘ線断面図と、その変更例の断面図である。
【００５７】
【図４】収納袋の実施例を示す斜視図である。
【００５８】
【図５】図４のＹ−Ｙ線断面図である。
【００５９】
【図６】収納袋の他の実施例を示す断面図である。
【００６０】
【図７】従来技術を示す図である。
【００６１】
【図８】図７のＺ−Ｚ線断面図である。
【符号の説明】
【００６２】
８            摘まみ付きジッパー部材
９            突条部材
１０          溝部材
１２          突条
１４          溝
１５，１６    摘まみ用の突片
１７，１８    接着プレート部
２２，２４    収納袋
２５，２６    シール部
【図１】
2006043323.tif 000003
【図２】
2006043323.tif 000004
【図３】
2006043323.tif 000005
【図４】
2006043323.tif 000006
【図５】
2006043323.tif 000007
【図６】
2006043323.tif 000008
【図７】
2006043323.tif 000009
【図８】
2006043323.tif 000010